(57)【要約】【課題】操作パネルの使い勝手を向上させることが目的である。【解決手段】今居る操作ステップ（選択画面）から、その後どういう選択を行ったかについて、過去の履歴を表示しながらガイド手段、および間違った項目を選択しても「キャンセル」ボタンを押してキャンセルした場合には、この操作情報は履歴情報に残らないようにする手段を持つ。【選択図】        図４
2006163988.tif 000002
【特許請求の範囲】
【請求項１】
操作パネル部を持つ情報処理装置であって、
前記操作パネル部から前記情報処理装置の動作設定を行うことが可能であり、且つ、
前記操作パネル部から設定した設定内容を、設定履歴情報として保持する手段と、
前記操作パネル部から設定を行った場合であっても、操作部画面からキャンセルを指示した場合には、設定履歴情報として保持しない手段と、
前記操作パネル部から新たに動作設定を行う際に、過去に設定したことがある設定内容、若しくは過去に設定した頻度の高い設定情報を呼び出す設定情報呼出手段を持ち、且つ
前記設定情報呼出手段によって呼び出された情報を基に、過去に設定したことがある設定ボタン、若しくは過去に設定した頻度の高い設定ボタンを強調して表示する手段を持つことを特徴とした情報処理装置。
【請求項２】
操作パネル部を持つ情報処理装置であって、
前記操作パネル部から前記情報処理装置の動作設定を行うことが可能であり、且つ、
前記操作パネル部から設定した設定内容を、設定履歴情報として保持する手段と、
前記操作パネル部から設定を行った場合であっても、操作部画面からキャンセルを指示した場合には、設定履歴情報として保持しない手段と、
前記操作パネル部から新たに動作設定を行う際に、過去に設定したことがある設定内容、若しくは過去に設定した頻度の高い設定情報を呼び出す設定情報呼出手段を持ち、且つ
前記設定情報呼出手段によって呼び出された情報を基に、過去に設定したことがある設定内容、若しくは過去に設定した頻度の高い設定内容を一覧表示する手段を持つことを特徴とした情報処理装置。
【発明の詳細な説明】
【技術分野】
【０００１】
本発明は、情報処理システムの操作部に関するものであり、特に過去の設定履歴情報を基に、操作部のガイダンスを行う手段をもった情報処理装置に関するものである。
【背景技術】
【０００２】
従来より、タッチパネル等により操作を行う複写機等の装置やマウスやキーボードを用いて操作を行うパーソナルコンピュータ等が知られている（例えば、特許文献１参照）。
【０００３】
以下に添付図面を参照して、従来例について説明する。
【０００４】
図７は、第一の従来例として、ＭＦＰ（マルチ・ファンクション・プリンタ）操作部パネル部の待ち受け画面を示した図である。
【０００５】
ＭＦＰ本体の電源が投入され本体初期化のシーケンスが終了してスタンバイ状態になると、図７に示した画面を操作パネル部に表示して外部機器からのデータ入力、もしくは操作パネル部から入力されるユーザの指示を待つ。
【０００６】
ここでユーザが文書をスキャンし、スキャンした結果を電子メールに添付して自分のメールアドレス宛てに送りたい場合、ＭＦＰ本体操作部（図１７の１０７）を使い、図７の矢印でしめされる「送信／ファックス」ボタンを押下して図８の画面に移行する。
【０００７】
続いて図９の操作画面に移行するので、矢印に示す「電子メールアドレス」ボタンを押下する。
【０００８】
続いて図１０に示す通り、電子メールアドレスを入力する画面になるので、画面上のキーを使ってスキャンした画像データを送付する電子メールアドレスを入力し、画面右下の「ＯＫ」ボタンを押す。
【０００９】
続いて図１１の操作画面に移行するので、画面右下の「ＯＫ」ボタンを押下する。
【００１０】
続いて図１２の操作画面に移行するので、図示しないＭＦＰ本体の「動作スタート」ボタンを押して設定内容を実行させる。
【００１１】
この処理の流れを、図１３に示す。
【００１２】
しかしながらこの従来例では、ユーザが頻繁に使う操作手順であってもその都度設定を行う必要があり、煩わしかった。
【００１３】
この問題について、多くのＭＦＰでは設定登録機能を用意することでユーザが頻繁に使用する機能を登録出来る様にしているが、設定登録機能の使い方を憶えて活用しようとしないユーザも多く、その様なユーザにとっては、使い勝手に優れているとは言い難かった。
【００１４】
第二の従来例として、ワープロソフトの例を図１４に示す。
【００１５】
同図に示すのワープロソフトはＭｉｃｒｏｓｏｆｔ社製のもので、この場合例えば矢印で示した「ファイル（Ｆ）」部分にマウス・カーソルを合わせると、過去に操作頻度の高かった操作を選択してプルダウン表示する。
【００１６】
続いて「ファイル（Ｆ）」→「印刷（Ｐ）」を選択するはずが、間違って「ページ設定（Ｕ）」の項目を選択してしまった場合、図１５に示す様な画面が表示され、ここでユーザは、自分の所望する操作ではないため、図１５右下の「キャンセル」ボタンをクリックし、「ページ設定（Ｕ）」の選択をキャンセルする。
【００１７】
しかしながら、所望の操作と違う誤った操作をした場合であっても、この操作が「過去の操作履歴」の情報として反映されてしまうため、次以降、「ファイル（Ｆ）」メニューをクリックすると「ページ設定（Ｕ）」が過去の操作履歴情報に基づいて、優先表示されてしまう欠点があった。
【００１８】
本発明はこの点に鑑みたもので、間違った項目を選択しても、「キャンセル」ボタンを押してキャンセルした場合には、この操作情報は履歴情報に残らないようにするもので、ユーザの使い勝手を向上させている。
【特許文献１】特開平１１−１３３８１６号公報
【発明の開示】
【発明が解決しようとする課題】
【００１９】
本発明はこれらの状況に鑑み行われたもので、第一の従来例に対しては、今居る操作ステップ（選択画面）から、その後どういう選択を行ったかについて、過去の履歴を表示しながらガイドすることで、ユーザの使い勝手を向上させるものである。
また第二の従来例に対しては、間違った項目を選択しても「キャンセル」ボタンを押してキャンセルした場合には、この操作情報は履歴情報に残らないようにし、ユーザの使い勝手を向上させるものである。
【課題を解決するための手段】
【００２０】
上記目的を達成する本発明の情報処理装置は以下に示す構成を備える。即ち、
操作パネル部を持つ情報処理装置であって、
前記操作パネル部から前記情報処理装置の動作設定を行うことが可能であり、且つ、
前記操作パネル部から設定した設定内容を、設定履歴情報として保持する手段と、
前記操作パネル部から設定を行った場合であっても、操作部画面からキャンセルを指示した場合には、設定履歴情報として保持しない手段と、
前記操作パネル部から新たに動作設定を行う際に、過去に設定したことがある設定内容、若しくは過去に設定した頻度の高い設定情報を呼び出す設定情報呼出手段を持ち、且つ
前記設定情報呼出手段によって呼び出された情報を基に、過去に設定したことがある設定ボタン、若しくは過去に設定した頻度の高い設定ボタンを強調して表示する手段を持つ、
または
操作パネル部を持つ情報処理装置であって、
前記操作パネル部から前記情報処理装置の動作設定を行うことが可能であり、且つ、
前記操作パネル部から設定した設定内容を、設定履歴情報として保持する手段と、
前記操作パネル部から設定を行った場合であっても、操作部画面からキャンセルを指示した場合には、設定履歴情報として保持しない手段と、
前記操作パネル部から新たに動作設定を行う際に、過去に設定したことがある設定内容、若しくは過去に設定した頻度の高い設定情報を呼び出す設定情報呼出手段を持ち、且つ
前記設定情報呼出手段によって呼び出された情報を基に、過去に設定したことがある設定内容、若しくは過去に設定した頻度の高い設定内容を一覧表示する手段を持つ。
【発明の効果】
【００２１】
本発明によれば、いつも使うような頻度の高い操作部の操作履歴をもとに、選択可能な操作を表示する場合、従来例では操作を選択した時点で履歴に残ってしまい、選択した操作を最終的に実行しなかった場合でも、履歴情報に反映されてしまっていた点を改善し、使い勝手の良い操作部をユーザに提供することが可能となる。
【発明を実施するための最良の形態】
【００２２】
かかる構成において、今居る操作ステップ（選択画面）から、その後どういう選択を行ったかについて、過去の履歴を表示しながらガイドし、また間違った項目を選択しても「キャンセル」ボタンを押してキャンセルした場合には、この操作情報は履歴情報に残らないようにすることで、ユーザの使い勝手を向上させるものである。
【実施例１】
【００２３】
以下に添付図面を参照して、本発明の好適な実施例について説明する。
【００２４】
図１７は、従来および本発明を適用したＭＦＰ（マルチ・ファンクション・プリンタ）のコントローラの概要を示すものである。
【００２５】
図１７において、１００はコントローラ部であり、主にホストコンピュータから受信した印刷データをビットマップデータに展開してプリンタエンジン１１５に出力する、或いはスキャナ１１４で読み取ったスキャンデータ画像データをプリンタエンジン１１５に出力するといった処理を行う。
【００２６】
１０１はホストインタフェースで、ホストコンピュータ１１３との通信を行ない、プリンタ固有の言語で記述された印刷コードデータやイメージデータを受ける。
【００２７】
１０２はスキャナＩ／Ｆ部で、スキャナ１１４から入力されるスキャン画像データを受信するブロックである。
【００２８】
１０４は画像識別部であり、画像の種類すなわちカラー画像かモノクロ画像か、テキスト画像かイメージ画像か、或いは図形データかなどの判別を行うブロックである。
【００２９】
１０５はＲＯＭであり、ＣＰＵ１０８はＲＯＭ１０５に格納されたプログラムをＲＯＭコントローラ１１７を介して読み出し、読み出したプログラムに従ってコントローラ１００全体の制御を行っている。
【００３０】
１０６はＲＡＭであり、ＣＰＵ１０８が各種処理をする際のワークメモリとして利用したり、あるいは画像データを格納するためのバッファ等として利用される。ＲＡＭへのアクセスはＲＡＭコントローラ１１８を介して行われる。
【００３１】
１０７は操作パネルであり、コピー動作やプリント動作をする際の、各種設定や指示を与えるだけでなく、その表示部にプリント枚数やステータスといった各種情報が表示される。
【００３２】
１０８はＣＰＵであり、ＲＯＭ１０５に格納されたプログラムに従ってコントローラ１００全体の各種制御や画像処理などを行う。
【００３３】
１０９は圧縮・伸張部であり、スキャナ１１４から読み取った画像データを圧縮・伸張したり、或いはホストＩ／Ｆ部１０１を介してホストから受信した画像データを展開する過程で一時的にデータを圧縮・伸張したりするのに用いられる。
【００３４】
１１０は画像データの回転器であり、例えばスキャナ１１４で読み取った画像データを、９０度、１８０度、２７０度回転することが出来る。
【００３５】
１１１はエンジンＩ／Ｆ部で、プリンタエンジン１１５に対して印刷画像データを出力するブロックである。
【００３６】
１１３はホストコンピュータ、１１４はスキャナ、１１５はプリンタエンジン、１１６はコントローラのシステムバスである。
【００３７】
１２１はハードディスク（ＨＤＤ）であり、ハードディスクコントローラ（ＨＤＤコントローラ）１２０によって制御される。
【００３８】
図１は本発明の好適な実施例として、以上に述べたような構成を持つＭＦＰ（マルチ・ファンクション・プリンタ）操作部パネル部の待ち受け画面を示した図である。
【００３９】
ＭＦＰ本体の電源が投入され本体初期化のシーケンスが終了してスタンバイ状態になると、図１に示した画面を操作パネル部に表示して外部機器からのデータ入力、もしくは操作パネル部から入力されるユーザの指示を待つ。
【００４０】
ここでユーザが文書をスキャンし、スキャンした結果を電子メールに添付して自分のメールアドレス宛てに送りたい場合、ＭＦＰ本体操作部（図１７の１０７）を使い、図１の矢印でしめされる「送信／ファックス」ボタンを押下して図２の画面に移行する。
【００４１】
この時、ユーザが行った設定手順の情報はその都度、図１７に示すハードディスク１２１内に格納され、本体の電源をＯＦＦした後でも情報は保持される。
【００４２】
以降、初めて行う設定に関しては、従来例と同様に設定じ、実行する。
【００４３】
２度目以降、ユーザが再度文書をスキャンし、スキャンした結果を電子メールに添付して自分のメールアドレス宛てに送りたい場合、ＭＦＰ本体操作部（図１７の１０７）を使い、図１の矢印でしめされる「送信／ファックス」ボタンを押下して図２の画面に移行する。
【００４４】
この後、従来例の操作と同様に、図１３のステップに従って設定を行うことも可能であるが、それだと次以降の操作画面において必要な数々の設定を行わなければならない。
【００４５】
しかし過去に設定した内容と同内容の設定を行う場合は、図２の矢印Ｂで示す画面下の「設定履歴呼出」ボタンを押すことで、図３の設定画面に示す様に、過去に設定したことがあるボタンだけを強調表示し、過去に行った操作を容易に設定することが出来る。
【００４６】
またその先の設定画面に進んだとき、操作を誤ったことに気付いてキャンセルボタンを押し、一つ前の操作画面に戻った場合には、直前の操作を履歴から削除し、履歴呼出の際には反映させないようにする。
【００４７】
この操作手順のステップを図４に示す。
【００４８】
ここで、これ以降の以降、画面表示される中から、順次必要な操作をユーザが選択することで設定を行ってゆく。
【実施例２】
【００４９】
続いて、第二の実施例について説明する。
【００５０】
本発明を適用したＭＦＰ（マルチ・ファンクション・プリンタ）操作部パネル部の待ち受け画面は、実施例１の図１で示した図と同じである。
【００５１】
ＭＦＰ本体の電源が投入され本体初期化のシーケンスが終了してスタンバイ状態になると、図１に示した画面を操作パネル部に表示して外部機器からのデータ入力、もしくは操作パネル部から入力されるユーザの指示を待つ。
【００５２】
ここでユーザが文書をスキャンし、スキャンした結果を電子メールに添付して自分のメールアドレス宛てに送りたい場合、ＭＦＰ本体操作部（図１７の１０７）を使い、図１の矢印でしめされる「送信／ファックス」ボタンを押下して図２の画面に移行する。
【００５３】
この時、ユーザが行った設定手順の情報はその都度、図１７に示すハードディスク１２１内に格納され、本体の電源をＯＦＦした後でも情報は保持される。
【００５４】
以降、初めて行う設定に関しては、従来例と同様に設定し、実行する。
【００５５】
２度目以降、ユーザが再度文書をスキャンし、スキャンした結果を電子メールに添付して自分のメールアドレス宛てに送りたい場合、ＭＦＰ本体操作部（図１７の１０７）を使い、図１の矢印でしめされる「送信／ファックス」ボタンを押下して図２の画面に移行する。
【００５６】
この後、従来例の操作と同様に、図１３のステップに従って設定を行うことも可能であるが、それだと次以降の操作画面において必要な数々の設定を行わなければならない。
【００５７】
しかし過去に設定した内容と同内容の設定を行う場合は、図２の矢印Ｂで示す画面下の「設定履歴呼出」ボタンを押すことで、図５の設定画面に示す様に、過去に設定したことがある設定内容が、階層構造表示される。
【００５８】
ここでユーザは、過去の設定履歴情報をもとに、自分の電子メールアドレス「
1102557116968_0.jp
」を押下する。
【００５９】
上記の手順で文書をスキャンし、スキャンした結果を電子メールに添付して自分のメールアドレス宛てに送る設定が完了するので、後はスタートキーを押して処理を実行する。
【００６０】
この操作手順のステップを図６に示す。
【図面の簡単な説明】
【００６１】
【図１】本発明を用いた実施例における、操作パネル部の図である。
【図２】本発明を用いた実施例における、操作パネル部の図である。
【図３】本発明を用いた第一の実施例における、操作パネル部の図である。
【図４】本発明の第一の実施例におけるフローチャートである。
【図５】本発明の第二の実施例における、操作パネル部の図である。
【図６】本発明の第二の実施例におけるフローチャートである。
【図７】第一の従来例における、操作パネル部の図である。
【図８】第一の従来例における、操作パネル部の図である。
【図９】第一の従来例における、操作パネル部の図である。
【図１０】第一の従来例における、操作パネル部の図である。
【図１１】第一の従来例における、操作パネル部の図である。
【図１２】第一の従来例における、操作パネル部の図である。
【図１３】第一の従来例におけるフローチャートである。
【図１４】第二の従来例を示す図である。
【図１５】第二の従来例を示す図である。
【図１６】第二の従来例におけるフローチャートである。
【図１７】本発明の実施例、および従来例のＭＦＰの構成を示す図である。
【符号の説明】
【００６２】
１００  コントローラ
１０１  ホストＩ／Ｆ部
１０２  スキャナＩ／Ｆ部
１０４  画像識別部
１０５  ＲＯＭ
１０６  ＲＡＭ
１０７  操作パネル
１０８  ＣＰＵ
１０９  圧縮・伸張部
１１０  回転器
１１１  エンジンＩ／Ｆ部
１１３  ホストコンピュータ
１１４  スキャナ
１１５  プリンタエンジン
１１６  システムバス
１１７  ＲＯＭコントローラ
１１８  ＲＡＭコントローラ
１２０  ＨＤＤコントローラ
１２１  ＨＤＤ
【図４】
2006163988.tif 000003
【図６】
2006163988.tif 000004
【図１３】
2006163988.tif 000005
【図１６】
2006163988.tif 000006
【図１７】
2006163988.tif 000007
【図１】
2006163988.tif 000008
【図２】
2006163988.tif 000009
【図３】
2006163988.tif 000010
【図５】
2006163988.tif 000011
【図７】
2006163988.tif 000012
【図８】
2006163988.tif 000013
【図９】
2006163988.tif 000014
【図１０】
2006163988.tif 000015
【図１１】
2006163988.tif 000016
【図１２】
2006163988.tif 000017
【図１４】
2006163988.tif 000018
【図１５】
2006163988.tif 000019
【手続補正書】
【提出日】平成16年12月10日(2004.12.10)
【手続補正１】
【補正対象書類名】明細書
【補正対象項目名】００５８
【補正方法】変更
【補正の内容】
【００５８】
ここでユーザは、過去の設定履歴情報をもとに、自分の電子メールアドレス「ｍｏｍｏ．ｔａｒｏ＠ａａａ．ｂｂ．ｊｐ」を押下する。